(57)【要約】【課題】  呼吸装置の面体とフィルターとの間の脱着コネクターであって、押して捩じるバヨネット式接続機構を備える脱着コネクターにおいて、事故や過失によるフィルターの面体からの離脱を効果的に阻止できる脱着コネクターを提供する。【解決手段】  呼吸装置の面体とフィルターとの間の脱着コネクターであって、押して捩じるバヨネット式接続機構と、弾性体の穴にピンが嵌合するロック機構とを備え、フィルターの接続時には、バヨネット式接続機構の接続動作とロック機構のロック動作とが同期し、フィルターは接続と同時にロックされ、フィルターの取り外し時には、ロック機構のロック解除動作がバヨネット式接続機構の接続解除動作に先行し、フィルターのロックが解除された後に、フィルターの接続が解除される。【選択図】  図３
2017154150.tif 000002
【特許請求の範囲】
【請求項１】
呼吸装置の面体とフィルターとの間の脱着コネクターであって、押して捩じるバヨネット式接続機構と、弾性体の穴にピンが嵌合するロック機構とを備え、フィルターの接続時には、バヨネット式接続機構の接続動作とロック機構のロック動作とが同期し、フィルターは接続と同時にロックされ、フィルターの取り外し時には、ロック機構のロック解除動作がバヨネット式接続機構の接続解除動作に先行し、フィルターのロックが解除された後に、フィルターの接続が解除されることを特徴とする脱着コネクター。
【請求項２】
ロック機構の弾性体は、両端が固定され両端近傍に径方向外方への突出部を有する湾曲した帯状体であり、穴は帯状体の長手方向中央部に形成されており、ピンはバヨネット式接続機構の接続動作の初期には帯状体の突出部の一方に径方向内方から対峙しており、バヨネット式接続機構の接続動作の進行に連動して帯状体の中央部へ相対移動して、バヨネット式接続機構の接続動作完了時に帯状体の穴に嵌合し、帯状体の両端近傍の突出部が径方向内方へ押し込まれることにより長手方向中央部が径方向外方へ突出して穴とピンとの嵌合が解除されることを特徴とする請求項１に記載の脱着コネクター。
【請求項３】
ロック機構の弾性体はフィルターに取り付けられており、ロック機構のピンは面体に取り付けられていることを特徴とする請求項１又は２に記載の脱着コネクター。
【請求項４】
ロック機構の弾性体は面体に取り付けられており、ロック機構のピンはフィルターに取り付けられていることを特徴とする請求項１又は２に記載の脱着コネクター。
【請求項５】
請求項１乃至４の何れか１項に記載の脱着コネクターを備えることを特徴とする呼吸装置の面体。
【発明の詳細な説明】
【技術分野】
【０００１】
本発明は、呼吸装置の面体とフィルターとの間の脱着コネクターに関するものである。
【背景技術】
【０００２】
呼吸装置の面体とフィルターとの間の脱着コネクターであって、押して捩じるバヨネット式接続機構を備える脱着コネクターが、特許文献１に開示されている。
バヨネット式接続機構は、雄部の爪と、雌部のＬ字溝又は爪と、バネ部材とを備えており、バネ部材を押し縮めつつ雄部の爪を雌部のＬ字溝に又は爪の一端近傍後方に押し込み、雌部の溝又は爪に沿って捩じり、バネの付勢力で雄部の爪を雌部のＬ字溝の側壁又は爪の後面に押しつけて、雄部と雌部とを接続する。Ｌ字溝の出入口又は雌部の爪の一端後面には押し込み方向の突起が形成され、単に雄部を戻り方向に捩じっただけでは、雄部の爪が溝又は雌部の爪から離脱しないように構成されている。
【先行技術文献】
【特許文献】
【０００３】
【特許文献１】特開２０１４−５３３５５３号公報
【発明の概要】
【発明が解決しようとする課題】
【０００４】
何らかの事故により或いは呼吸装置使用者の過失で、雄部が押し込まれ且つ戻り方向へ捩じられて、雄部と雌部の接続が解除され、フィルターが面体から離脱する事態は発生し得る。
従って本発明は、呼吸装置の面体とフィルターとの間の脱着コネクターであって、押して捩じるバヨネット式接続機構を備える脱着コネクターにおいて、事故や過失によるフィルターの面体からの離脱を効果的に阻止できる脱着コネクターを提供することを目的とする。
【課題を解決するための手段】
【０００５】
上記課題を解決するために、本発明においては、呼吸装置の面体とフィルターとの間の脱着コネクターであって、押して捩じるバヨネット式接続機構と、弾性体の穴にピンが嵌合するロック機構とを備え、フィルターの接続時には、バヨネット式接続機構の接続動作とロック機構のロック動作とが同期し、フィルターは接続と同時にロックされ、フィルターの取り外し時には、ロック機構のロック解除動作がバヨネット式接続機構の接続解除動作に先行し、フィルターのロックが解除された後に、フィルターの接続が解除されることを特徴とする脱着コネクターを提供する。
本発明に係る脱着コネクターにおいては、フィルターの取り外し時には、ロック機構のロック解除動作がバヨネット式接続機構の接続解除動作に先行するので、すなわちフィルターの取り外しが独立した二つの解除動作を必要とするので、事故や過失によるフィルターの面体からの離脱を効果的に阻止できる。
本発明の好ましい態様においては、ロック機構の弾性体は、両端が固定され両端近傍に径方向外方への突出部を有する湾曲した帯状体であり、穴は帯状体の長手方向中央部に形成されており、ピンはバヨネット式接続機構の接続動作の初期には帯状体の突出部の一方に径方向内方から対峙しており、バヨネット式接続機構の接続動作の進行に連動して帯状体の中央部へ相対移動して、バヨネット式接続機構の接続動作完了時に帯状体の穴に嵌合し、帯状体の両端近傍の突出部が径方向内方へ押し込まれることにより長手方向中央部が径方向外方へ突出して穴とピンとの嵌合が解除される。
帯状体の両端近傍の突出部を押し込み、帯状体の長手方向中央部を突出させて、穴とピンとの嵌合を解除するロック解除動作は複雑な動作であり、事故や過失で当該動作がなされる可能性は低い。この結果、事故や過失によるフィルターの面体からの離脱が効果的に阻止される。
本発明の好ましい態様においては、ロック機構の弾性体はフィルターに取り付けられており、ロック機構のピンは面体に取り付けられている。
本発明の好ましい態様においては、ロック機構の弾性体は面体に取り付けられており、ロック機構のピンはフィルターに取り付けられている。
ロック機構の弾性体とピンとの相対位置関係は、上記何れでも良い。
本発明においては、上記何れかの脱着コネクターを備えることを特徴とする呼吸装置の面体を提供する。
本発明に係る呼吸装置の面体においては、事故や過失によるフィルターの面体からの離脱が効果的に阻止される。
【図面の簡単な説明】
【０００６】
【図１】本発明の実施例に係る脱着コネクターを備える全面形面体の、フィルター接続開始時の正面図である。
【図２】本発明の実施例に係る脱着コネクターの、フィルター接続開始時の外観図である。（ａ）は側面図であり、（ｂ）は（ａ）のｂ−ｂ矢視図であり、（ｃ）は（ｂ）のｃ−ｃ矢視図である。
【図３】本発明の実施例に係る脱着コネクターを備える全面形面体の、フィルター接続完了時の正面図である。
【図４】本発明の実施例に係る脱着コネクターの、フィルター接続完了時の外観図である。（ａ）は側面図であり、（ｂ）は（ａ）のｂ−ｂ矢視図であり、（ｃ）は（ｂ）のｃ−ｃ矢視図である。
【図５】本発明の実施例に係る脱着コネクターが備えるバヨネット接続機構の、フィルター接続開始直前の分解斜視図である。
【発明を実施するための形態】
【０００７】
本発明の実施例に係る脱着コネクターを説明する。
図１、３に示すように、呼吸装置の全面形面体１は、使用者の顔面の正面部と両側面部とを覆う透明硬質プラスチック素材のアイピース２と、アイピース２の周縁に一体的に組付けられて使用者の顔面の周縁部を覆う柔軟弾性素材の本体部３と、全面形面体１を使用者の頭部に装着するための図示しない装着バンドを取り付けるための本体部３と一体形成された装着バンド取り付け部４と、脱着コネクター５を介してアイピースの両側面下部に接続されたフィルター６と、アイピースの正面下部に接続された排気弁・伝声器の保護カバー７とを備えている。
脱着コネクター５は、図２、４、５に示すように、フィルター６のケースのアイピース２寄りの半部分を形成する円環状の第１部分５ａと、アイピース２と一体に組付けられた円環状の第２部分５ｂとを備えている。
第１部分５ａは、円環中央部に配設されたバヨネット式接続機構の雄部の不連続円環状に配設された３本の爪５ａ１と、爪５ａ１よりも径方向外方に配設されたロック機構の弾性体５ａ２とを備えている。弾性体５ａ２は弾性素材で形成され、第１部分５ａと第２部分５ｂとが接続した状態で、脱着コネクターの第２部分５ｂの外周面に沿って延在する湾曲した帯状体であり、長手方向両端が脱着コネクターの第１部分５ａに固定され、長手方向両端近傍に径方向外方への突出部５ａ２’が形成され、長手方向中央部に穴５ａ２”が形成されている。突出部５ａ２’の曲率半径は第２部分５ｂの円環外周の曲率半径よりも小であり、長手方向の中央部の曲率半径は第２部分５ｂの円環外周の曲率半径よりも大である。
第２部分５ｂは、円環中央部に配設されたバヨネット式接続機構の雌部の不連続円環状に配設された３本の爪５ｂ１と、爪５ｂ１よりも径方向外方に配設されたばね部材を形成する柔軟弾性素材の円環状パッキン５ｂ２と、円環外周面に配設されたロック機構のピン５ｂ３とを備えている。爪５ｂ１の長手方向一端には雄部の押し込み方向の小突起５ｂ１’が形成され、長手方向他端には雄部の押し込み方向の大突起５ｂ１”が形成されている。  
【０００８】
脱着コネクター５の作動を説明する。
フィルター６をアイピース２に接続する際には、フィルター６を手に持ち、図５に示すように、第１部分５ａが備えるバヨネット式接続機構の雄部の３本の爪５ａ１を、第２部分５ｂが備えるバヨネット式接続機構の雌部の３本の爪５ｂ１の間の不連続円環状の隙間に正対させる。
次いで、図５に白抜き矢印で示す方向へ第１部分５ａを移動させて、第１部分５ａ底板の平坦な内側環状部５ａ’を、第２部分５ｂが備えるバヨネット式接続機構の環状パッキン５ｂ２に当接させる。ロック機構のピン５ｂ３は、帯状の弾性体５ａ２の長手方向一端の径方向外方への突出部５ａ２’に径方向内方から径方向隙間を隔てて対峙しており、第１部分５ａの移動を妨げない。帯状の弾性体５ａ２の長手方向中央部は、第２部分５ｂの円環外周面に径方向外方から近接している。
次いで、環状パッキン５ｂ２を押し縮めつつ第１部分５ａを第２部分５ｂに押し付けて、バヨネット式接続機構の雄部の３本の爪５ａ１を雌部の３本の爪５ｂ１の間の不連続円環状の隙間に押し込む。この結果、脱着コネクター５は図１、２に示す、フィルター接続開始時の状態になる。前述の如く、ロック機構のピン５ｂ３は、帯状の弾性体５ａ２の長手方向一端の径方向外方への突出部５ａ２’に径方向内方から径方向隙間を隔てて対峙し、帯状の弾性体５ａ２の長手方向中央部は、第２部分の円環外周面に径方向外方から近接している。
次いで、バヨネット式接続機構の雄部を雌部に押し込んだ状態を維持しつつ、第１部分５ａを、図５で二重白抜き矢印で示し、図２で白抜き矢印で示す方向に捩じる。図５で見て雄部の３本の爪５ａ１の上面が雌部の３本の爪５ｂ１の下面に対峙した状態で、雄部の３本の爪５ａ１が雌部の３本の爪５ｂ１の小突起５ｂ１’を乗り越えて爪５ｂ１の延在方向へ移動し、大突起５ｂ１”に突き当たって止まる。爪５ａ１の移動に連動して、ロック機構のピン５ｂ３は、帯状の弾性体５ａ２を径方向外方へ押し広げつつ弾性体５ａ２の長手方向中央部へ向けて相対移動し穴５ａ２”に到達する。この結果、脱着コネクター５は図３、４に示す、フィルター接続完了時の状態になる。ロック機構のピン５ｂ３は、帯状の弾性体５ａ２の長手方中央部の穴５ａ２”に嵌合する。フィルター６から手を離すと、環状パッキン５ｂ２からの付勢力を受けて、図５で見て雄部の３本の爪５ａ１の上面が雌部の３本の爪５ｂ１の下面に押しつけられて、バヨネット式接続機構の雄部と雌部とが接続され、ひいては脱着コネクター５の第１部分５ａと第２部分５ｂとが接続され、更にひいてはフィルター６がアイピース２に接続される。ロック機構のピン５ｂ３が、帯状の弾性体５ａ２の長手中央部の穴５ａ２”に嵌合することにより、脱着コネクターの第１部分５ａと第２部分５ｂとの接続がロックされ、ひいてはフィルター６のアイピース２への接続がロックされる。
【０００９】
フィルター６とアイピース２との接続を解除して、フィルター６をアイピース２から取り外す際には、図４（ｂ）に示すように、帯状の弾性体５ａ２の両端の径方向外方への突出部５ａ２’をで白抜き矢印で示す径方向内方へ押し、一点鎖線で示すように、帯状の弾性体５ａ２の長手方向中央部を径方向外方へ突出させて、ロック機構のピン５ｂ３を帯状の弾性体５ａ２の長手方中央部の穴５ａ２”から離脱させ、脱着コネクターの第１部分５ａと第２部分５ｂとの接続のロックを解除する。
ロックが解除されても、バヨネット式接続機構の雌部の爪５ｂ１の長手方向一端には雄部の押し込み方向の小突起５ｂ１’が形成されているので、バヨネット式接続機構の雄部を備える第１部分５ａを単に戻り方向に捩じっただけでは、バヨネット式接続機構の雄部の爪５ａ１は雌部の爪５ｂ１から離脱しない。
従って、突出部５ａ２’を白抜き矢印で示す径方向内方へ押しつつ、且つ第１部分５ａひいてはバヨネット式接続機構の雄部を、第２部分５ｂひいてはバヨネット式接続機構の雌部の方向へ押し込みつつ、第１部分５ａを図４（ｂ）で二重白抜き矢印で示す方向へ捩じる。雄部の３本の爪５ａ１が雌部の３本の爪５ｂ１の小突起５ｂ１’を乗り越えて、雌部の３本の爪５ｂ１の間の不連続円環状の隙間に到達する。帯状の弾性体５ａ２の両端の径方向外方への突出部５ａ２’に対する径方向内方への押圧を解除する。この結果、バヨネット式接続機構の雄部と雌部との接続が解除され、脱着コネクター５は図１、２に示す、フィルター接続開始時の状態になる。
次いで、第１部分５ａを図５の白抜き矢印とは反対方向へ移動させて第２部分５ｂから離脱させる。この結果、フィルター６はアイピース２から取り外される。
【００１０】
脱着コネクター５においては、フィルター６の取り外し時には、ロック機構のロック解除動作がバヨネット式接続機構の接続解除動作に先行するので、すなわちフィルター６の取り外しが独立した二つの解除動作を必要とするので、事故や過失によるフィルター６のアイピース２からの離脱を効果的に阻止できる。
帯状の弾性体５ａ２の両端近傍の突出部５ａ２’を径方向内方へ押し込み、帯状の弾性体５ａ２の長手方向中央部を径方向外方へ突出させて、穴５ａ２”とピン５ｂ３との嵌合を解除するロック解除動作は複雑な動作であり、事故や過失で当該動作がなされる可能性は低い。この結果、事故や過失によるフィルター６のアイピース２からの離脱が効果的に阻止される。
呼吸装置の全面形面体１においては、事故や過失によるフィルター６のアイピース２からの離脱が効果的に阻止される。
上記実施例では、ロック機構の帯状の弾性体５ａ２をフィルター６に取り付け、ロック機構のピン５ｂ３を面体のアイピース２に取り付けたが、ロック機構の帯状の弾性体５ａ２を面体のアイピース２に取り付け、ロック機構のピン５ｂ３をフィルター６に取り付けても良い。
脱着コネクター５が使用される面体は、全面型面体に限定されない。脱着コネクター５を、口と鼻とを覆う半面型面体のフィルターと面体との接続に使用しても良い。
【産業上の利用可能性】
【００１１】
本発明は、呼吸装置の面体とフィルターとの間の脱着コネクターであって、押して捩じるバヨネット式接続機構を備える脱着コネクターに広く利用可能である。
【符号の説明】
【００１２】
１  全面形面体
２  アイピース
３  本体部
４  装着バンド取り付け部
５  脱着コネクター
５ａ  第１部分
５ａ１  バヨネット式接続機構の雄部の爪
５ａ２  帯状の弾性体
５ａ２’  径方向外方への突出部
５ａ２”  穴
５ｂ  第２部分
５ｂ１  バヨネット式接続機構の雌部の爪
５ｂ１’  小突起
５ｂ１”  大突起
５ｂ２  バヨネット式接続機構のパッキン
５ｂ３  ピン
６  フィルター
７  保護カバー
【図１】
2017154150.tif 000003
【図２】
2017154150.tif 000004
【図３】
2017154150.tif 000005
【図４】
2017154150.tif 000006
【図５】
2017154150.tif 000007
【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
呼吸装置の面体とフィルターとの間の脱着コネクターであって、押して捩じるバヨネット式接続機構と、弾性体の穴にピンが嵌合するロック機構とを備え、フィルターの接続時には、バヨネット式接続機構の接続動作とロック機構のロック動作とが同期し、フィルターは接続と同時にロックされ、フィルターの取り外し時には、ロック機構のロック解除動作がバヨネット式接続機構の接続解除動作に先行し、フィルターのロックが解除された後に、フィルターの接続が解除され、ロック機構の弾性体は、両端が固定され両端近傍に径方向外方への突出部を有する湾曲した帯状体であり、穴は帯状体の長手方向中央部に形成されており、ピンはバヨネット式接続機構の接続動作の初期には帯状体の突出部の一方に径方向内方から対峙しており、バヨネット式接続機構の接続動作の進行に連動して帯状体の中央部へ相対移動して、バヨネット式接続機構の接続動作完了時に帯状体の穴に嵌合し、帯状体の両端近傍の突出部が径方向内方へ押し込まれることにより長手方向中央部が径方向外方へ突出して穴とピンとの嵌合が解除されることを特徴とする脱着コネクター。
【請求項２】
ロック機構の弾性体はフィルターに取り付けられており、ロック機構のピンは面体に取り付けられていることを特徴とする請求項１に記載の脱着コネクター。
【請求項３】
ロック機構の弾性体は面体に取り付けられており、ロック機構のピンはフィルターに取り付けられていることを特徴とする請求項１に記載の脱着コネクター。
【請求項４】
請求項１乃至３の何れか１項に記載の脱着コネクターを備えることを特徴とする呼吸装置の面体。
【手続補正２】
【補正対象書類名】明細書
【補正対象項目名】０００５
【補正方法】変更
【補正の内容】
【０００５】
上記課題を解決するために、本発明においては、呼吸装置の面体とフィルターとの間の脱着コネクターであって、押して捩じるバヨネット式接続機構と、弾性体の穴にピンが嵌合するロック機構とを備え、フィルターの接続時には、バヨネット式接続機構の接続動作とロック機構のロック動作とが同期し、フィルターは接続と同時にロックされ、フィルターの取り外し時には、ロック機構のロック解除動作がバヨネット式接続機構の接続解除動作に先行し、フィルターのロックが解除された後に、フィルターの接続が解除され、ロック機構の弾性体は、両端が固定され両端近傍に径方向外方への突出部を有する湾曲した帯状体であり、穴は帯状体の長手方向中央部に形成されており、ピンはバヨネット式接続機構の接続動作の初期には帯状体の突出部の一方に径方向内方から対峙しており、バヨネット式接続機構の接続動作の進行に連動して帯状体の中央部へ相対移動して、バヨネット式接続機構の接続動作完了時に帯状体の穴に嵌合し、帯状体の両端近傍の突出部が径方向内方へ押し込まれることにより長手方向中央部が径方向外方へ突出して穴とピンとの嵌合が解除されることを特徴とする脱着コネクターを提供する。
本発明に係る脱着コネクターにおいては、フィルターの取り外し時には、ロック機構のロック解除動作がバヨネット式接続機構の接続解除動作に先行するので、すなわちフィルターの取り外しが独立した二つの解除動作を必要とするので、事故や過失によるフィルターの面体からの離脱を効果的に阻止できる。
本発明に係る脱着コネクターにおいては、ロック機構の弾性体は、両端が固定され両端近傍に径方向外方への突出部を有する湾曲した帯状体であり、穴は帯状体の長手方向中央部に形成されており、ピンはバヨネット式接続機構の接続動作の初期には帯状体の突出部の一方に径方向内方から対峙しており、バヨネット式接続機構の接続動作の進行に連動して帯状体の中央部へ相対移動して、バヨネット式接続機構の接続動作完了時に帯状体の穴に嵌合し、帯状体の両端近傍の突出部が径方向内方へ押し込まれることにより長手方向中央部が径方向外方へ突出して穴とピンとの嵌合が解除される。
帯状体の両端近傍の突出部を押し込み、帯状体の長手方向中央部を突出させて、穴とピンとの嵌合を解除するロック解除動作は複雑な動作であり、事故や過失で当該動作がなされる可能性は低い。この結果、事故や過失によるフィルターの面体からの離脱が効果的に阻止される。
本発明の好ましい態様においては、ロック機構の弾性体はフィルターに取り付けられており、ロック機構のピンは面体に取り付けられている。
本発明の好ましい態様においては、ロック機構の弾性体は面体に取り付けられており、ロック機構のピンはフィルターに取り付けられている。
ロック機構の弾性体とピンとの相対位置関係は、上記何れでも良い。
本発明においては、上記何れかの脱着コネクターを備えることを特徴とする呼吸装置の面体を提供する。
本発明に係る呼吸装置の面体においては、事故や過失によるフィルターの面体からの離脱が効果的に阻止される。
【国際調査報告】
2017154150.tif 000008
2017154150.tif 000009
2017154150.tif 000010
2017154150.tif 000011